(57)【要約】【課題】ＰＷＭ出力器の分解能が十分でなくても、実質的に高い分解能が得られる構成とすることで、廉価で音声品質の高い音声出力装置を提供する。【解決手段】音声データを上位ビットと下位ビットに分割し、上位ビットを第１ＰＷＭ出力器２１ａにセットしてＰＷＭ出力させると共に、下位ビットを第２ＰＷＭ出力器２１ｂにセットしてＰＷＭ出力させる。そして、第１ＰＷＭ出力器２１ａのＰＷＭ出力と第２ＰＷＭ出力器２１ｂのＰＷＭ出力について減衰器２２などで重み付けを行ったのち、ミキサ２４によって合成する。【選択図】図１
2020150389.tif 000002
【特許請求の範囲】
【請求項１】
音声データに基づいて発音体（３）から発音を行う音声出力装置であって、
前記音声データを上位ビットから下位ビットに渡って分割し、分割されたそれぞれの音声データをＰＷＭ出力として発生させる複数のＰＷＭ出力器（２１ａ、２１ｂ）と、
前記複数のＰＷＭ出力器が発生させる複数のＰＷＭ出力それぞれの重み付けを行う重み付け部（２２、２６）と、
前記重み付け後の前記複数のＰＷＭ出力を合成するミキサ（２４）と、
前記ミキサでの合成結果を示す出力と対応する電流を前記発音体（３）に流すことで、前記発音体（３）による発音を行わせるアンプ（２５）と、を備えていることを特徴とする音声出力装置。
【請求項２】
前記重み付け部は、分割された前記音声データの上位ビットに対する下位ビットのビット数差に対して、−６ｄＢを掛けた減衰率で下位ビットの前記ＰＷＭ出力器のＰＷＭ出力を減衰させる減衰器（２２）であることを特徴とする請求項１に記載の音声出力装置。
【請求項３】
前記複数のＰＷＭ出力器は、第１ＰＷＭ出力器（２１ａ）と第２ＰＷＭ出力器（２１ｂ）であり、前記音声データを上位ビットと下位ビットの２つに分割して、前記第１ＰＷＭ出力器にて前記上位ビットに対応するＰＷＭ出力を発生させると共に、前記第２ＰＷＭ出力器にて前記下位ビットに対応するＰＷＭ出力を発生させることを特徴とする請求項１または２に記載の音声出力装置。
【請求項４】
前記音声データは１６ビットであり、該音声データが上位８ビットと下位８ビットに分割され、前記第１ＰＷＭ出力器にて前記上位８ビットに対応するＰＷＭ出力を発生させると共に、前記第２ＰＷＭ出力器にて前記下位８ビットに対応するＰＷＭ出力を発生させることを特徴とする請求項３の音声出力装置。
【請求項５】
前記重み付け後の前記ＰＷＭ出力から前記音声データと対応する出力波形である音声波形に復調するフィルタ部（２３ａ、２３ｂ）を備え、
前記フィルタ部で前記音声波形に復調された後の前記ＰＷＭ出力を前記ミキサで合成することを特徴とする請求項１ないし４のいずれか１つに記載の音声出力装置。
【請求項６】
前記ミキサの出力から前記音声データと対応する出力波形である音声波形に復調するフィルタ部（２３）を備え、
前記フィルタ部で前記音声波形に復調された後の前記ミキサの出力に基づいて、前記アンプによる前記発音体の発音が行われることを特徴とする請求項１ないし４のいずれか１つに記載の音声出力装置。
【発明の詳細な説明】
【技術分野】
【０００１】
本発明は、音声データに基づいて発音を行う音声出力装置に関し、特に車両から音声を発生させる車室外通報音出力装置、例えば車両が接近していることを周囲に通報する車両接近通報装置に適用される。
【背景技術】
【０００２】
近年、電気自動車（ＥＶ車）やハイブリッド車（ＨＶ車）などでは、その構造的に発生騒音が小さく、これらの車両の接近を歩行者が気付き難いということから、歩行者など周囲に車両が近くにいるという認知度を上げるために擬似エンジン音や擬似モータ音などの車両接近通報音を発生させる車両接近通報装置が搭載されつつある。
【０００３】
この車両接近通報装置では、発音方法として、マイコンのメモリに格納したＰＣＭ（パルス符号変調）データなどの音声データ、つまり音声の大きさをデータコードに変換して符号化した音声信号をサンプリング周期毎にＰＷＭ出力器にセットして発音するという方法が用いられている（例えば、特許文献１参照）。
【先行技術文献】
【特許文献】
【０００４】
【特許文献１】特開２０１２−１７１４６２号公報
【発明の概要】
【発明が解決しようとする課題】
【０００５】
ＰＷＭ出力器を用いた音声信号出力技術における信号分解能の上限は、マイコンにおけるＣＰＵ（中央演算装置）の動作クロック周波数／搬送波周波数で決まる。そして、音声信号のサンプリング周波数≦搬送波周波数の関係を有しているため、例えば廉価な汎用マイコンを用いる場合には、出力したい音声データに対してＰＷＭ出力器の分解能が不足することがある。
【０００６】
例えば、３２ＭＨｚの動作クロックのマイコンで３２ｋＨｚの搬送波周波数の音声信号をＰＷＭ出力器より出力する場合、その分解能は３２ＭＨｚ／３２ｋＨｚとなり、音声信号を１０００段階で表現することになる。これをビット深度に換算すると１０ビット相当となる。
【０００７】
これに対して、例えばオーディオ用途で一般的な１６ビットの音声データを報知音製品に必要な音量の調整機能と組み合わせて扱うには、１０ビットでは足りず、音声品質の面で制約となる。このため、音声品質を高めようとすると、高いＰＷＭ出力器の分解能が必要になってしまう。
【０００８】
本発明は上記点に鑑みて、ＰＷＭ出力器の分解能が十分でなくても、実質的に高い分解能が得られる構成とすることで、廉価で音声品質の高い音声出力装置を提供することを目的とする。
【課題を解決するための手段】
【０００９】
上記目的を達成するため、請求項１に記載の発明では、音声データに基づいて発音体（３）から発音を行う音声出力装置であって、音声データを上位ビットから下位ビットに渡って分割し、分割されたそれぞれの音声データをＰＷＭ出力として発生させる複数のＰＷＭ出力器（２１ａ、２１ｂ）と、ＰＷＭ出力器が発生させる複数のＰＷＭ出力それぞれの重み付けを行う重み付け部（２２、２６）と、重み付け後の複数のＰＷＭ出力を合成するミキサ（２４）と、ミキサでの合成結果を示す出力と対応する電流を発音体に流すことで、発音体による発音を行わせるアンプ（２５）と、を備えていることを特徴としている。
【００１０】
このような構成においては、複数のＰＷＭ出力器の分解能が音声データのビット数よりも小さくても、それぞれで音声データの上位ビットから下位ビットに対応するデータをＰＷＭ出力として出力できる。そして、各ＰＷＭ出力を重み付けした上でミキサにて合成することで、ほぼ音声データで表された音声を表現することが可能となる。よって、ＰＷＭ出力器の分解能が十分でなくても、実質的に高い分解能を得ることが可能となる。
【００１１】
例えば、請求項２に記載したように、重み付け部は、分割された音声データの上位ビットに対する下位ビットのビット数差に対して、−６ｄＢを掛けた減衰率で下位ビットのＰＷＭ出力器のＰＷＭ出力を減衰させる減衰器（２２）とされる。
【００１２】
また、請求項３に記載したように、複数のＰＷＭ出力器として、第１ＰＷＭ出力器（２１ａ）と第２ＰＷＭ出力器（２１ｂ）を備える構成とすることができ、音声データを上位ビットと下位ビットの２つに分割して、第１ＰＷＭ出力器にて上位ビットに対応するＰＷＭ出力を発生させると共に、第２ＰＷＭ出力器にて下位ビットに対応するＰＷＭ出力を発生させることができる。その場合、例えば、請求項４に記載したように、音声データが１６ビットであれば、音声データを上位８ビットと下位８ビットに分割し、第１ＰＷＭ出力器にて上位８ビットに対応するＰＷＭ出力を発生させ、第２ＰＷＭ出力器にて下位８ビットに対応するＰＷＭ出力を発生させるようにすることができる。
【００１３】
請求項５に記載の発明では、重み付け後のＰＷＭ出力から音声データと対応する出力波形である音声波形に復調するフィルタ部（２３ａ、２３ｂ）を備え、フィルタ部で音声波形に復調された後のＰＷＭ出力をミキサで合成することを特徴としている。このように、重み付け後の各ＰＷＭ出力に対してフィルタ部による音声波形への復調を行うことができる。
【００１４】
請求項６に記載の発明では、ミキサの出力から音声波形に復調するフィルタ部（２３）を備え、フィルタ部で音声波形に復調された後のミキサの出力に基づいて、アンプによる発音体の発音が行われることを特徴としている。このように、ミキサでの合成後の出力に対してフィルタ部による音声波形への復調を行うようにしても良い。
【００１５】
なお、各構成要素等に付された括弧付きの参照符号は、その構成要素等と後述する実施形態に記載の具体的な構成要素等との対応関係の一例を示すものである。
【図面の簡単な説明】
【００１６】
【図１】第１実施形態にかかる車両用接近通報装置のブロック図である。
【図２】表現したい音声データと１６ビットおよび１０ビットの音声データの関係を模式的に説明した図である。
【図３】音声データをＰＷＭ出力とする場合にどのようなデューティ比として表されるかを説明した図である。
【図４】第２実施形態にかかる車両用接近通報装置のブロック図である。
【図５】第３実施形態にかかる車両用接近通報装置のブロック図である。
【発明を実施するための形態】
【００１７】
以下、本発明の実施形態について図に基づいて説明する。なお、以下の各実施形態相互において、互いに同一もしくは均等である部分には、同一符号を付して説明を行う。
【００１８】
（第１実施形態）
第１実施形態について説明する。本実施形態では、音声出力装置が車両用接近通報装置に適用される場合を例に挙げて説明する。図１は、本実施形態にかかる車両接近通報装置を含む車両接近通報システムのブロック図である。この図を参照して、本実施形態にかかる車両用接近通報装置を含む車両接近通報システムについて説明する。
【００１９】
図１に示すように、車両接近通報システムは、走行状態取得部１と車両接近通報装置２およびスピーカ３とを有した構成とされている。車両接近通報システムでは、車両接近通報装置２が走行状態取得部１からの検出信号に基づいて、発音体であるスピーカ３から擬似エンジン音もしくは擬似モータ音などの擬似走行音を発音することで、車両の接近を周囲の歩行者などに通報する。
【００２０】
走行状態取得部１は、車速センサやアクセル開度センサなどの各種センサによって構成され、車両の走行状態検知信号として、車速検知信号やアクセル開度信号を出力している。このため、車両接近通報装置２は、走行状態取得部１より走行状態検知信号を入力して車速やアクセル開度に関する情報を取得することで、車両がロードノイズの小さな低速走行中（例えば２０ｋｍ／ｈ以下）に、車速やアクセル開度に応じた発音の制御を行う。
【００２１】
車両接近通報装置２は、マイコン２１と減衰器２２とローパスフィルタ（以下、ＬＰＦという）２３ａ、２３ｂとミキサ２４およびパワーアンプ（以下、ＡＭＰという）２５を有している。
【００２２】
マイコン２１は、第１ＰＷＭ出力器２１ａおよび第２ＰＷＭ出力器２１ｂを有していると共に、メモリ手段に相当するメモリ２１ｃや図示しないが制御手段に相当する演算装置を有した構成とされている。メモリ２１ｃは、発音の制御プログラムや擬似エンジン音や擬似モータ音などの擬似走行音を表したＰＣＭデータなどの音声データ、サンプリング周期や音量を設定するデータなどが記憶されている。マイコン２１は、サンプリング周期毎に音声データを読み出すと共に、第１ＰＷＭ出力器２１ａおよび第２ＰＷＭ出力器２１ｂにセットし、出力させる。これら第１ＰＷＭ出力器２１ａと第２ＰＷＭ出力器２１ｂの２つのＰＷＭ出力器を組み合わせることで、実質的に高い分解能での音声データに対応する出力波形の出力を可能とする。
【００２３】
例えば、マイコン２１は、メモリに車速やアクセル開度等の車両の走行状態に対応付けた音程アップ量のテーブルなどを記憶しており、演算装置にて、低速走行中の際に、車速やアクセル開度等の走行状態に対応する音程アップ量を演算する。例えば、車速やアクセル開度が大きいほど音程アップ量を大きくすることができる。そして、演算された音程アップ量に対応するサンプリング周期毎に音声データを読み込んで第１ＰＷＭ出力器２１ａおよび第２ＰＷＭ出力器２１ｂへセットし、ＰＷＭ出力を発生させる。このとき、第１ＰＷＭ出力器２１ａおよび第２ＰＷＭ出力器２１ｂでは、同相かつ同一の搬送波周波数を用いてＰＷＭ出力が発生させられるようにしている。
【００２４】
具体的には、音声データが例えば１６ビットとされており、第１ＰＷＭ出力器２１ａおよび第２ＰＷＭ出力器２１ｂの分解能がそれぞれ１０ビットである場合、例えば、音声データの上位の８ビットと下位の８ビットに分割し、上位ビットを第１ＰＷＭ出力器２１ａに、下位ビットを第２ＰＷＭ出力器２１ｂにそれぞれセットする。このようにして、第１ＰＷＭ出力器２１ａと第２ＰＷＭ出力器２１ｂそれぞれからＰＷＭ出力を発生させるようにする。
【００２５】
減衰器２２は、第１ＰＷＭ出力器２１ａと第２ＰＷＭ出力器２１ｂのＰＷＭ出力に対する重み付けを行う重み付け部を構成するものである。本実施形態の場合、減衰器２２は、第２ＰＷＭ出力器２１ｂのＰＷＭ出力を減衰させるものとして機能する。
【００２６】
上記したように、音声データのうちの上位ビットを第１ＰＷＭ出力器２１ａにセットしてＰＷＭ出力を発生させ、下位ビットを第２ＰＷＭ出力器２１ｂにセットしてＰＷＭ出力を発生させている。第１ＰＷＭ出力器２１ａにセットする上位ビットと第２ＰＷＭ出力器２１ｂにセットする下位ビットの関係は、説明を簡素化するために十進数で説明すると、上位ビットが“千”と“”百”の位、下位ビットが“十”と“一”の位を表しており、それぞれ異なる桁の数字を表しているのと同意である。しかしながら、第１ＰＷＭ出力器２１ａに上位ビットをセットして出力されるＰＷＭ出力と、第２ＰＷＭ出力器２１ｂに下位ビットをセットして出力されるＰＷＭ出力は、同じ桁で数字が表されてしまう。このため、少なくとも一方のＰＷＭ出力に対して重み付けを行うことが必要になる。
【００２７】
ここで、例えば表現したい音声データが図２に太線で示すような正弦波を細線で示す１６ビットで表現してメモリに記憶したものであった場合について考える。例えば、マイコン２１の動作クロックが３２ＭＨｚ、搬送波周波数が３２ｋＨｚの場合、ＰＷＭ出力器の分解能は、３２ＭＨｚ／３２ｋＨｚとなり、１０ビット相当となる。この場合、１つのＰＷＭ出力器のみでは分解能が１０ビットしかないため、図２に示すような音声データを表現しようとしても、上位の１０ビット分しか表現できず、図中破線で示すように粗いＰＷＭ出力となる。つまり、１６ビットで表現された音声データを１０ビットでは十分に表現することができないことになる。
【００２８】
一方、１６ビットで表現された音声データと１０ビットで表現される音声データとの差分は、１６ビットで表現された音声データのうちの下位の６ビット分に相当する。このため、この分の音声データをもう１つＰＷＭ出力器を設けて出力し、１０ビットで表現される音声データと合成すれば、ＰＷＭ出力器の分解能が音声データのビット数よりも少なかったとしても、実質的に１６ビットで表現された音声データを出力することが可能になる。
【００２９】
このため、上記したように、音声データのうちの上位ビットを第１ＰＷＭ出力器２１ａにセットし、下位ビットを第２ＰＷＭ出力器２１ｂにセットして、それぞれからＰＷＭ出力を発生させている。なお、第１ＰＷＭ出力器２１ａにセットする上位ビットのビット数と第２ＰＷＭ出力器２１ｂにセットする下位ビットのビット数については、各ＰＷＭ出力器の分解能以下で、かつ、合計が音声データのビット数であれば良い。本実施形態の場合は、上位ビットと下位ビットを共に８ビットとして同じビット数としている。ただし、下位ビットについては、例えば最下位のビットがなくても、ほぼ音声データを表現できることから、合計が必ずしも音声データのビット数になっていなくても良い。
【００３０】
そして、このようにして第１ＰＷＭ出力器２１ａと第２ＰＷＭ出力器２１ｂそれぞれからＰＷＭ出力を発生させたら、そのＰＷＭ出力を合成すれば良いが、各ＰＷＭ出力が“同じ桁”を表わした状態であるため、各ＰＷＭ出力波形の振幅が同じレベルで設定されることになる。このため、各ＰＷＭ出力の重み付けを行う必要があり、例えば第１ＰＷＭ出力器２１ａのＰＷＭ出力についてはそのまま用い、第２ＰＷＭ出力器２１ｂのＰＷＭ出力については減衰して用いることが必要となる。そして、本実施形態では、減衰器２２を用いて第２ＰＷＭ出力器２１ｂのＰＷＭ出力を減衰させるようにしている。
【００３１】
より詳細に説明すると、ＰＷＭ出力は、音声データをデューティ比で表しており、音声データが図３に示す正弦波形で示される場合、図中に示したデューティ比のイメージのように、振幅値が小さな値になるほどデューティ比が小さく、振幅値が大きくなるほどデューティ比が大きくなる。具体的には、マイコン２１の動作クロックが３２ＭＨｚで、第１ＰＷＭ出力器２１ａおよび第２ＰＷＭ出力器２１ｂから８ビットのＰＷＭ出力を出力する場合、３２ＭＨｚ／２５６が１サンプルの送信周期となる。デューティ比は、１サンプルの送信周期中に含まれるクロック数分の“０”、“１”のデータ数によって表現され、連続する“０”のデータ数と連続する“１”のデータ数の比として表される。そして、第１ＰＷＭ出力器２１ａのＰＷＭ出力と第２ＰＷＭ出力器２１ｂのＰＷＭ出力は、共に、デューティ比で表されているだけであるため、そのままのＰＷＭ出力では、同じレベルで音声データの振幅が表されることになる。
【００３２】
したがって、第１ＰＷＭ出力器２１ａのＰＷＭ出力と第２ＰＷＭ出力器２１ｂのＰＷＭ出力について重み付けを行う。重み付けについては、上位ビットと下位ビットとのビット数の差をｎとすると、重み付け量が２のｎ乗となるため、減衰器２２での減衰率がビット数の差×−６ｄＢとなるようにしている。本実施形態の場合は、上位ビットと下位ビットのビット数差が８であることから、第２ＰＷＭ出力器２１ｂのＰＷＭ出力を減衰器２２で−４８ｄＢだけ減衰させるようにしている。
【００３３】
ＬＰＦ２３ａ、２３ｂは、フィルタ部に相当し、音声データと対応する出力波形である音声波形に復調する役割を果たす。このため、ＬＰＦ２３ａは、第１ＰＷＭ出力器２１ａのＰＷＭ出力から音声波形に復調し、ＬＰＦ２３ｂは、減衰器２２を介して減衰された第２ＰＷＭ出力器２１ｂのＰＷＭ出力から音声波形を復調する。そして、ＬＰＦ２３ａ、２３ｂで音声波形に復調された各ＰＷＭ出力がミキサ２４に入力される。
【００３４】
ミキサ２４は、ＬＰＦ２３ａ、２３ｂから入力された各ＰＷＭ出力を合成する。このように、第１ＰＷＭ出力器２１ａのＰＷＭ出力と減衰器２２で減衰された第１ＰＷＭ出力器２１ａのＰＷＭ出力とが合成されることにより、実質的に１６ビットで表現される音声データに相当する出力波形が得られる。
【００３５】
ＡＭＰ２５は、ミキサ２４の合成結果を示す出力と対応する電流をスピーカ３に流す。ミキサ２４の出力は、実質的に１６ビットで表現される音声データに相当する出力波形となっている。このため、スピーカ３からは、１６ビットで表現された音声データと対応する発音が為される。
【００３６】
以上のようにして本実施形態の車両接近通報システムが構成されている。この車両接近通報システムでは、車両状態に応じてマイコン２１からＰＷＭ出力が出され、そのＰＷＭ出力に応じた電流がスピーカ３に流されることで、車両状態に応じた発音が行われる。このとき、上記したように、音声データを上位ビットと下位ビットに分割し、上位ビットを第１ＰＷＭ出力器２１ａにセットしてＰＷＭ出力させると共に、下位ビットを第２ＰＷＭ出力器２１ｂにセットしてＰＷＭ出力させるようにしている。そして、第１ＰＷＭ出力器２１ａのＰＷＭ出力と第２ＰＷＭ出力器２１ｂのＰＷＭ出力について重み付けを行ったのち、ミキサ２４によって合成するようにしている。
【００３７】
このようにすることで、第１ＰＷＭ出力器２１ａおよび第２ＰＷＭ出力器２１ｂの分解能が音声データのビット数よりも小さくても、それぞれで音声データの上位ビットと下位ビットに対応するデータをＰＷＭ出力として出力できる。そして、各ＰＷＭ出力を重み付けした上でミキサ２４にて合成することで、ほぼ音声データで表された音声を表現することが可能となる。よって、ＰＷＭ出力器の分解能が十分でなくても、実質的に高い分解能を得ることが可能となる。
【００３８】
（第２実施形態）
第２実施形態について説明する。本実施形態は、第１実施形態に対してＬＰＦとミキサの配置を変更したものであり、その他については第１実施形態と同様であるため、第１実施形態と異なる部分についてのみ説明する。
【００３９】
図４に示すように、本実施形態では、第１ＰＷＭ出力器２１ａのＰＷＭ出力と減衰器２２で減衰した後の第２ＰＷＭ出力器２１ｂのＰＷＭ出力がミキサ２４で合成されるようにしている。そして、ミキサ２４とアンプ２５の間にＬＰＦ２３を備え、ミキサ２４の出力に対してＬＰＦ２３で音声波形への復調が行われるようにしている。
【００４０】
このように、ＬＰＦ２３をミキサ２４の下段に配置するようにしても、第１実施形態と同様の効果を得ることができる。
【００４１】
（第３実施形態）
第３実施形態について説明する。本実施形態は、第１、第２実施形態に対して重み付け部の構成を変更したものであり、その他については第１、第２実施形態と同様であるため、第１、第２実施形態と異なる部分についてのみ説明する。なお、ここでは第１実施形態と同様、ＬＰＦ２３ａ、２３ｂの下段にミキサ２４を配置する構成を例に挙げて説明するが、第２実施形態のようにミキサ２４の下段にＬＰＦ２３が配置されていても良い。
【００４２】
図５に示すように、本実施形態では、重み付け部として、第１ＰＷＭ出力器２１ａのＰＷＭ出力を増幅する増幅器２６を備えるようにしている。このように、第１ＰＷＭ出力器２１ａのＰＷＭ出力を増幅したのち、第２ＰＷＭ出力器２１ｂのＰＷＭ出力とミキサ２４にて合成するようにしても、第１実施形態と同様の効果を得ることができる。この場合の増幅率は、上位ビットと下位ビットのビット数の差×６ｄＢとすれば良い。
【００４３】
（他の実施形態）
本発明は上記した実施形態に限定されるものではなく、特許請求の範囲に記載した範囲内において適宜変更が可能である。
【００４４】
例えば、上記各実施形態では、第１ＰＷＭ出力器２１ａと第２ＰＷＭ出力器２１ｂという２つのＰＷＭ出力器を備え、音声データを上位と下位の２分割としたが、２つよりも多いＰＷＭ出力器を備え、ＰＷＭ出力器の数で音声データを分割することもできる。つまり、複数のＰＷＭ出力器を備え、表現したい音声データを上位から下位に渡って複数に分割して各ＰＷＭ出力器からＰＷＭ出力として出力させ、そのＰＷＭ出力を重み付け部で重み付けして合成することで、元の音声データを表現することができる。
【００４５】
例えば、２４ビットの音声データを再生する場合には、上位、中位、下位それぞれ８ビットずつに音声データを３分割することができる。その場合、中位ビットのＰＷＭ出力器のＰＷＭ出力に対しては８ビット分の−４８ｄＢの減衰器で減衰し、下位ビットのＰＷＭ出力器のＰＷＭ出力に対しては１６ビット分の−９６ｄＢの減衰器で減衰させてから、減衰後の各ＰＷＭ出力をミキサで合成すれば良い。
【００４６】
また、上記各実施形態において、音声データとして、マイコン２１内のメモリに直接格納された音声データを例に挙げて説明したが、音声データとしては、メモリに直接格納したものに限らず、演算、生成結果としての音声データであっても良い。
【００４７】
なお、上記実施形態では、音声出力装置として、車両用接近通報装置を例に挙げて説明したが、車両用接近通報装置に限らず、音声データに基づいて発音を行うものに対して適用可能である。例えば、車両に適用される場合を考慮すると、車両用接近通報装置を含めて、車両から音声を出力する様々な車室外報知音出力装置に適用できる。例えば、車室外報知音出力装置としては、車両用接近通報装置の他には、バックブザーにおける通知音やスマートキーシステムにおけるアンサーバック通知音の出力を行う装置が挙げられる。
【符号の説明】
【００４８】
１…走行状態取得部、２…車両接近通報装置、３…スピーカ、２１…マイコン、２１ａ、２１ｂ…第１、第２ＰＷＭ出力器、２１ｃ…メモリ、２２…減衰器、２３、２３ａ、２３ｂ…ＬＰＦ、２４…ミキサ、２５…ＡＭＰ、２６…増幅器
【図１】
2020150389.tif 000003
【図２】
2020150389.tif 000004
【図３】
2020150389.tif 000005
【図４】
2020150389.tif 000006
【図５】
2020150389.tif 000007